(57)【特許請求の範囲】
【請求項１】
方法であって、
(a)移動通信ネットワーク中のユーザー装置 (ＵＥ)により、ひとつ以上の位置オプションを有するＭＤＴ位置オプション設定を含むドライブ試験の省力化 (ＭＤＴ)位置要求を受信する工程と、
(b)前記ＭＤＴ位置オプション設定に基づいて、第一位置オプションを決定する工程と、
(c)前記第一位置オプションが、ＵＥ-サポートの位置決め方法である場合、前記第一位置オプションに従って、ＭＤＴ測定、報告、および、ロギングの位置決めを初期化する工程と、
を含むことを特徴とする方法。
【請求項２】
各位置オプションは優先度に関連し、且つ、前記第一位置オプションは、残りのＵＥサポート位置オプションよりも高い優先度を有することを特徴とする請求項１に記載の方法。
【請求項３】
さらに、(d)前記ＵＥによりサポートされる位置オプションがない場合、ＭＤＴ位置要求失敗応答を、前記ネットワークに伝送する工程を含むことを特徴とする請求項２に記載の方法。
【請求項４】
前記ＭＤＴセッション期間中、各位置オプションが評価され、且つ、前記第一位置オプションが失敗時、前記ＵＥは、第二位置オプションを選択することを特徴とする請求項２に記載の方法。
【請求項５】
前記第一位置オプションは、全地球的航法衛星システム (ＧＮＳＳ)、観測到来時間差 (ＯＴＤＯＡ)、または、進化型セル-ＩＤシステム (Ｅ-ＣＩＤ)を含む一つの特定の位置決め方法を示すことを特徴とする請求項１に記載の方法。 
【請求項６】
前記第一位置オプションのひとつは、位置決めが、コントロールプレーン位置サブシステム (Ｃ-ＰＬＡＮＥ ＬＣＳ)、または、ユーザープレーン位置サブシステム (Ｕ-ＰＬＡＮＥ ＬＣＳ)を含む特定のシステムにより制御されることを示すことを特徴とする請求項１に記載の方法。  
【請求項７】
さらに、ＵＥ位置機能を前記ネットワークに提供し、前記ＵＥ位置機能は、前記ＵＥが、ＵＥ-独立型ＧＮＳＳ、ＵＥ-相関ＯＴＤＯＡ、ＵＥ-相関Ｅ-ＣＩＤ、Ｃ-ＰＬＡＮＥ ＬＣＳ、および、Ｕ-ＰＬＡＮＥ ＬＣＳをサポートするかを示すことを特徴とする請求項１に記載の方法。
【請求項８】
(b)中の前記判断は、ＵＥ位置機能とネットワーク機能を評価する工程を含むことを特徴とする請求項１に記載の方法。
【請求項９】
方法であって、
(a)移動通信ネットワーク中の基地局により、ひとつ以上の位置オプションを有するＭＤＴ位置オプション設定を含むドライブ試験の省力化 (ＭＤＴ)位置要求を受信する工程と、
(b)前記ＭＤＴ位置オプション設定に基づいて、第一位置オプションを決定する工程と、
(c)前記第一位置オプションが、ネットワーク-ベースの位置決めを含む場合、前記第一位置オプションに従って、ＭＤＴ測定、報告、および、ロギングの位置決めを初期化する工程と、
を含むことを特徴とする方法。 
【請求項１０】
各位置オプションは一優先度に関連し、且つ、前記第一位置オプションは、残りの位置オプションより高い優先度を有することを特徴とする請求項９に記載の方法。
【請求項１１】
さらに、(d)前記基地局によりサポートされる要求された位置オプションがない場合、ＭＤＴ位置要求失敗応答を、前記ネットワークに伝送する工程を含むことを特徴とする請求項１０に記載の方法。
【請求項１２】
前記ＭＤＴセッション期間中、各位置オプションが評価され、前記第一位置オプションが失敗である場合、前記基地局は、第二位置オプションを選択することを特徴とする請求項１０に記載の方法。
【請求項１３】
さらに、前記第一位置オプションが、ＵＥ-ベースの位置決めを含む場合、前記第一位置オプションをユーザー装置 (ＵＥ)に伝送する工程を含むことを特徴とする請求項９に記載の方法。 
【請求項１４】
前記位置オプションのひとつは、全地球的航法衛星システム (ＧＮＳＳ)、観測到来時間差 (ＯＴＤＯＡ)、または、進化型セル-ＩＤシステム (Ｅ-ＣＩＤ)を含む特定の一つの位置決め方法を示すことを特徴とする請求項９に記載の方法。  
【請求項１５】
前記位置オプションのひとつは、位置決めが、コントロールプレーン位置サブシステム (Ｃ-ＰＬＡＮＥ ＬＣＳ)、または、ユーザープレーン位置サブシステム (Ｕ-ＰＬＡＮＥ ＬＣＳ)を含む特定のシステムにより制御されることを示すことを特徴とする請求項９に記載の方法。
【請求項１６】
さらに、ＵＥから、ＵＥ位置機能を受信し、前記ＵＥ位置機能は、前記ＵＥが、ＵＥ-独立型ＧＮＳＳ、ＵＥ-相関ＯＴＤＯＡ、ＵＥ-相関Ｅ-ＣＩＤ、Ｃ-ＰＬＡＮＥ ＬＣＳ、および、Ｕ-ＰＬＡＮＥ ＬＣＳをサポートするかを示すことを特徴とする請求項９に記載の方法。
【請求項１７】
方法であって、
(a)無線装置により、セルラー無線アクセス技術 (ＲＡＴ)により提供される第一信号強度、および／または、品質を決定する工程と、 
(b)前記無線装置により、無線ＬＡＮ (ＷＬＡＮ)により提供される第二信号強度、および／または、品質を決定する工程と、 
(c)位置オプションのリストから、位置決め工程を選択し、前記位置決め工程が選択されて、(a)と(b)の前記決定に基づいて、位置決め目的に最も適合する工程と、
を含むことを特徴とする方法。  
【請求項１８】
位置オプションの前記リストは、全地球的航法衛星システム (ＧＮＳＳ)、補助ＧＮＳＳ (ＡＧＮＳＳ)、ＬＴＥ観測到来時間差 (ＬＴＥ ＯＴＤＯＡ)システム、ＷｉＦｉ位置決め、および、メムス(ＭＥＭＳ)位置決めを含むことを特徴とする請求項１７に記載の方法。
【請求項１９】
前記位置決め目的は、レスポンスタイムの減少、精度の改善、消費電力の減少を含むことを特徴とする請求項１７に記載の方法。
【請求項２０】
前記無線装置は、(a) と (b)の前記決定に基づいて、各位置オプションを実行する優先順序を決定することを特徴とする請求項１７に記載の方法。
【発明の詳細な説明】
【技術分野】
【０００１】
この出願は、２０１２年１月２０日に出願された“MDT Location Option Control”と題された米国特許仮出願番号６１/５８９２５０号から、合衆国法典第３５編第１１９条の下、優先権を主張するものであり、その内容は引用によって本願に援用される。
【０００２】
本発明は、無線通信技術における位置決め(positioning)に関するものであって、特に、位置オプション制御(location option control)の方法と最適なＵＥベースの位置決め手順（工程）を決定する方法に関するものである。
【背景技術】
【０００３】
無線ネットワーク配置と操作を検証、および、テストするため、これまでに、運転テストが既に実施されている。運転テストは、一般に、特定の測定ツールの使用を必要とし、一つの領域において特定の測定ツールを駆動または移動させて、ネットワーク動作検証のデータを収集する。よって、無線ネットワーク動作のマニュアルでの試験と検証が一般的である。現有の、および、特に、最新のネットワーク(たとえば、ＬＴＥと未来のネットワーク)において、運転テストまたは歩行テストの必要を減少させて、ネットワークのマニュアル試験を減少させ、これにより、運用コストを減少させることが望まれる。したがって、現在、ドライブ試験の省力化(ＭＤＴ)のサポートに関する研究が流行しており、これらの研究の目的は商業用ターミナルを利用して関連する測定結果を報告することで、特定の試験装置と操作者の関与を必要とする独立したマニュアル試験を回避することである。
【０００４】
ＭＤＴ特徴は、ＵＥが、運用・管理・保守(Operations, Administration, and Maintenance、ＯＡＭ)アクティビティ、たとえば、ＯＡＭ目的の近傍検出、測定、ロギングと記録を実行できるようにすることである。ＯＡＭ目的は、無線資源管理 (ＲＲＭ)と最適化目的を含む。ＭＤＴのタイプは二種ある。即時ＭＤＴにおいて、測定は、Ｅ-ＵＴＲＡの接続状態で、ＵＥにより実行される。収集された情報は、直接、ネットワーク中で測定される、または、ＵＥ中で測定されて、利用可能になるとすぐ、ネットワークに報告される。ログされたＭＤＴにおいて、測定は、Ｅ-ＵＴＲＡのアイドル状態で、ＵＥにより実行、および、ログされる。ＵＥは、後ほど、収集された、および、ログされた情報をネットワークに報告する。
【０００５】
一般に、ＭＤＴ期間中のＵＥ収集測定情報は、ユーザーの位置情報を含む、あるいは、ユーザーの位置が推定されるデータを含む。ＭＤＴ測定に関する位置情報は、通常、十分に有用である。たとえば、ネットワークセルの小範囲内で、多数の無線リンク故障が発生することを判断する機能は、小範囲のサービス品質を改善する局部的補正動作を許可することができる。よって、ＭＤＴは、どのように、ＭＤＴ測定に関連する位置情報を獲得するかを管理する効果的、且つ、アクティブ位置捕捉制御スキームを必要とする。
【０００６】
現在の３ＧＰＰシステムにおいて、唯一サポートされる位置オプションは“ベストエフォート”位置であり、これは、ＵＥ中で利用可能である場合、ＵＥは、詳細な位置情報 (緯度、経度)を添付することを意味する。現有技術の問題のひとつは、ＭＤＴと位置特徴間の制御インターフェースの性質がまだ調査されていないことである。多種の位置決め、たとえば、ＯＭＡにより定義されるＵ-ＰＬＡＮＥ位置、３ＧＰＰによるＣ-ＰＬＡＮＥ ＬＣＳ、ＵＥ内部位置決め、および、多種の異なる位置決め方法があるので、どのようにして、位置決めを制御するかは、些細な問題ではない。現在の３ＧＰＰ無線アクセスシステムにおいて、ＬＣＳシステムとＵＥ独立位置の選択を実行するために必要とされる特性はない。さらに、ＭＤＴのＵＥ選択を実行できるエンティティは、大部分が、位置に関連するＵＥの機能を知らない。たとえば、ｅＮＢとＯＡＭは、ＵＥの機能を知らず、且つ、ＲＮＣは、Ｃ-ＰＬＡＮＥ ＬＣＳの機能を知っているが、Ｕ-ＰＬＡＮＥ ＬＣＳの機能を知らない。よって、効果的な方法で、位置オプション制御を実行するのが困難である。 
【発明の概要】
【発明が解決しようとする課題】
【０００７】
本発明の目的は、従来の問題を解決する新規な構成を提供することである。この目標は、位置関連機能の非認識を解決する方策を提案することである。この目標は、古くならないＭＤＴの位置オプションの選択を制御するための一般的な情報要素の集合を提案すること、及び、現在のＭＤＴベストエフォート位置概念、オンデマンド/要求された位置概念、および、強化型ベストエフォート位置を結びつける現存の位置決め機能性の再利用を最大にすることである。 
【０００８】
位置情報は、ＭＤＴ測定にとって重要なだけでなく、モバイルユーザーにとっても重要である。セルラーネットワークに加え、位置情報をモバイルユーザーに伝送する別のネットワークがある。多くの地理的領域において、複数の無線アクセスネットワーク(ＲＡＮ)、たとえば、Ｅ-ＵＴＲＡＮと無線ＬＡＮ (ＷＬＡＮ)は、通常、利用可能である。さらに、無線通信装置は、次第に、異なる無線アクセスネットワークにアクセスする複数の無線トランシーバを備えるようになっている。たとえば、複数の無線端末 (ＭＲＴ)は、同時に、ブルートゥース、ＬＴＥ、および、ＷｉＦｉ無線トランシーバを含む。したがって、ＵＥにとって、さらに多くの位置決め方法が利用可能になる。各種位置決め方法において、ＵＥは、ネットワークが関与する前に、最適な位置決め方法を選択する知識を有する。    本発明の別の目的は、ネットワーク条件の特徴を利用して、最適な位置決め手順（工程）を決定することである。
【課題を解決するための手段】
【０００９】
ＬＴＥシステムにおけるドライブ試験の省力化 (ＭＤＴ)の位置オプション制御を提供する方法が提供される。一具体例において、ＵＥ、または、ｅＮＢは、ひとつ以上の位置オプションを有するＭＤＴ位置オプション設定を含むＭＤＴ位置要求を受信する。ＵＥ、または、ｅＮＢは、ＭＤＴ位置オプション設定に基づいて、第一位置オプションを決定し、第一位置オプションに従って、ＭＤＴ測定、報告、および、ロギングのため、位置決めを初期化する。一新規実施形態において、各位置オプションは優先度に関連する。一具体例において、ＭＤＴセッション進行中、ＵＥ/ｅＮＢは、ＭＤＴ位置要求を受信する。 
【００１０】
ＭＤＴ測定、報告、および、ロギングに加え、ＵＥは、利用可能な位置オプションのリストから、最適な位置決め工程を決定する。一新規実施形態において、特定の位置決め目的において、ＵＥは、セルラーＬＴＥセルとＷＬＡＮ信号の信号強度、および／または、品質に基づいて、利用可能な位置オプションのリストの優先順位をつける。位置決め目的は、レスポンスタイム、精度、および、消費電力を含む。位置決め目的に基づいて、異なる位置オプションを優先させ、定義することにより、ＵＥは、異なるＵＥ環境とネットワーク条件下で、最適な位置決め工程を使用することができる。 
【００１１】
他の実施の形態および利点が以下の詳細な説明に述べられる。この概要は、本発明を定めるものではない。本発明は請求項によって定められる。
【図面の簡単な説明】
【００１２】
【図１】図１は、一新規実施形態による３ＧＰＰシステム機構を示す図である。
【図２】図２は、一新規実施形態によるＭＤＴ位置要求を処理するインターフェースを示す図である。
【図３】図３は、位置捕捉制御メカニズムを有するＵＥを示す図である。
【図４】図４は、位置オプション制御メカニズムを有する基地局を示す図である。
【図５】図５は、複数の位置オプション受信時のＵＥ動作を示す図である。
【図６】図６は、複数の位置オプション受信時のＭＤＴ進行中のＵＥ動作を示す図である。
【図７】図７は、位置オプションを評価する時のＵＥ動作を示す図である。
【図８】図８は、一新規実施形態によるＵＥ観点からのＵＥ-中心のＭＤＴロギングによるＣ-ＰＬＡＮＥ位置サブシステムの工程を示す図である。
【図９】図９は、即時ＭＤＴの複数の位置オプションを受信する時のＲＡＮ動作を示す図である。
【図１０】図１０は、即時ＭＤＴの複数の位置オプションの受信時、ＭＤＴ進行中のＲＡＮ動作を示す図である。
【図１１】図１１は、一新規実施形態によるＲＡＮ観点からｅＮＢ-ＵＥ-中心のＭＤＴロギングによるＣ-ＰＬＡＮＥ位置サブシステムの工程を示す図である。
【図１２】図１２は、一新規実施形態によるＲＡＮ観点からＵＥ-中心のＭＤＴロギングによるＣ-ＰＬＡＮＥ位置サブシステムの工程を示す図である。
【図１３】図１３は、ＵＥ観点からのＭＤＴ位置オプション設定のフローチャートである。
【図１４】図１４は、ｅＮＢ観点からのＭＤＴ位置オプション設定のフローチャートである。
【図１５】図１５は、一新規実施形態によるＵＥ-決定の最適位置決め工程を含む異種ネットワークの概略を示す図である。
【図１６】図１６は、一新規実施形態によるＵＥにより最適な位置決め工程を決定する方法を示す図である。
【図１７】図１７は、各種位置決め方法の優先順序を決定する第一具体例を示す図である。
【図１８】図１８は、各種位置決め方法の優先順序を決定する第二具体例を示す図である。
【図１９】図１９は、各種位置決め方法の優先順序を決定する第三具体例を示す図である。
【図２０】図２０は、一新規実施形態によるＵＥにより最適な位置決め工程を決定する方法のフローチャートである。
【発明を実施するための形態】
【００１３】
本発明の一実施形態について詳細に述べる。その例は添付図面に示されている。
図１は、一新規実施形態による３ＧＰＰシステム１００機構を示す図である。３ＧＰＰシステム１００は、ＵＴＲＡＮ無線アクセスネットワーク１０１、移動通信交換局やビジターロケーションレジスタ(Mobile Switching Centre or Visitor Location Register、MSC/VLR)１０２、サービング汎用パケット無線サービス(General Packet Radio Service、ＧＰＲＳ)サポートノード (ＳＧＳＮ)１０３、ＵＴＲＡＮ管理インターフェース（ＭＧＭＴ ＩＦ）１０４、ユーザー装置（ＵＥ）１１０、Ｅ-ＵＴＲＡＮ無線アクセスネットワーク１１１、サービングゲートウェイ(Serving Gateway)（Ｓｅｒｖｉｎｇ ＧＷ）１１２、パケットデータネットワーク (ＰＤＮ)ゲートウェイ（ＰＤＮ-ＧＷ）１１３、Ｅ-ＵＴＲＡＮ管理インターフェース（ＭＧＭＴ  ＩＦ）１１４、モビリティ管理エンティティ (ＭＭＥ)１１５、ｅＳＭＬＣ (evolved Serving Mobile Location Center)（Ｅ−ＳＭＬＣ）サーバ１１６、ＳＵＰＬ (Secure User plane Location) ロケーションプラットフォーム (ＳＬＰ)１１７、ゲートウェイＧＰＲＳサポートノード (ＧＧＳＮ)１１８、オペレーターのＩＰサービス(たとえば、インターネット)１２０、ホーム加入者サーバ (ＨＳＳ)１２１、顧客サービスセンター（Customer Care Center）１３１、および、運用・管理・保守（Operation, Administration, and Maintenance、ＯＡＭ)システム１３２を含む。図１の例において、Ｅ-ＵＴＲＡＮ１１１は、ＯＦＤＭＡ(Orthogonal Frequency Division Multiple Access)技術により、セルラーサービスの新しいエアーインターフェースをＵＥ１１０に提供する。Ｅ-ＵＴＲＡＮ１１１は、また、Ｓ-ＧＷ１１２とＰ-ＧＷ１１３により、ＩＰサービスをＵＥ１１０に提供する。一方、ＵＴＲＡＮ１０１は、Ｗ-ＣＤＭＡ (Wideband Code Division Multiple Access)技術により、ＵＥとネットワーク間の接続を提供するＵＭＴＳ無線アクセスネットワークである。
【００１４】
３ＧＰＰ ＬＴＥシステムにおいて、ＨＳＳ１２１、Ｓ-ＧＷ１１２、および、ＰＤＮ-ＧＷ１１３、ＭＭＥ１１５、ｅＳＭＬＣ１１６、および、別のノード (図示しない)は、進化したパケットコアネットワークを形成し、進化したパケットコアネットワークとＥ-ＵＴＲＡＮ１１１は、共に、地上波公共移動通信ネットワーク (ＰＬＭＮ)を形成する。３ＧＰＰ ＵＴＲＡシステムにおいて、ＨＳＳ１２１、ＭＳＣ１０２、ＳＧＳＮ１０３、ＧＧＳＮ１１８および別のノード(図示しない)は、コアネットワークを形成する。ＵＴＲＡＮ１０１とコアネットワークは、共に、地上波公共移動通信ネットワーク (ＰＬＭＮ)を形成する。ＳＬＰサーバ１１７は、オープンモバイルアライアンス(Open Mobile Alliance、ＯＭＡ)とＳＵＰＬにより標準化され、任意のアクセス技術により接続されるＵＥに、ロケーションサービスを提供する。Ｅ-ＵＴＲＡＮとＵＴＲＡＮ無線アクセスネットワークは上述したとおりであるが、当業者なら理解できるように、本発明は、別の無線アクセスネットワークを改善することもできる。 
【００１５】
３ＧＰＰは新しい特徴を導入して、ＬＴＥとＵＴＲＡシステムオペレータが、費用効率が高い方法で、さらにネットワーク計画を最適化するのを助ける。ドライブ試験の省力化 (ＭＤＴ)は、ＵＥが測定を収集し、測定情報をネットワークに報告するひとつの特徴である。ＭＤＴ特徴は、ＵＥが、運用・管理・保守 (ＯＡＭ)アクティビティ、たとえば、ＯＡＭ目的の近傍検出、測定、ロギング、および、記録を実行できるようにし、ＯＡＭ目的は、無線資源管理 (ＲＲＭ)と最適化目的を含む。二種のＭＤＴがある。即時ＭＤＴにおいて、Ｅ-ＵＴＲＡの接続状態下、測定がＵＥにより実行される。収集された情報は、ネットワーク中で直接測定されるか、または、ＵＥ中で測定されて、利用可能になるとすぐに、ネットワークに報告される。ログされたＭＤＴにおいて、Ｅ-ＵＴＲＡのアイドル状態下、測定は、ＵＥにより実行、および、ログされる。ＵＥは、後ほど、収集、および、ログされた情報をネットワークに報告する。
【００１６】
ＵＥ収集測定情報 (イベント情報とも称される)は、一般に、ＭＤＴ測定情報、無線測定、ブロードキャスト通信失敗情報のログ、マルチキャスト通信失敗情報のログ、ランダムアクセスチャネル(ＲＡＣＨ)パフォーマンスのログ、および、無線リンク故障 (ＲＬＦ)、ハンドオーバ失敗 (ＨＯＦ)、および、無線リソース制御 (ＲＲＣ)接続構築失敗を含む通信問題のログを含む。たとえば、即時ＭＤＴのＲＡＮログ、ログされたＭＤＴのログ、問題イベントのログ、たとえば、ＲＬＦとＨＯＦは、すべて、位置と速度情報、または、位置と速度が推定されるデータを含む。よって、ＭＤＴは、どのように、ＵＥが位置情報を獲得し、ネットワークと位置情報をシェアするかを管理する効果的な制御インターフェースを必要とする。 
【００１７】
図２は、一新規実施形態によるＭＤＴ位置要求を処理するインターフェースを示す図である。図２の例において、ＭＤＴ特徴は、ＭＤＴ位置要求をコアネットワークＣＮ２０２に伝送するＯＡＭシステム２０１から初期化される。ＣＮ２０２は、ＭＤＴ位置要求をＲＡＮ２０３に伝送し、ＲＡＮ２０３は、続いて、ＭＤＴ位置要求をＵＥ２０４に伝送する。ＭＤＴ位置要求は一組のＭＤＴ情報要素を示し、ＭＤＴ情報要素は、ＭＤＴの位置の初期化の制御に用いられる。  表記“ＭＤＴ位置要求” は、エアーインターフェースからＵＥのネットワークシグナリングとシグナリング両方に用いられる。しかし、原則上、ネットワークＭＤＴ位置要求とＵｕ ＭＤＴ位置要求の情報内容に僅かな差異がある。ＭＤＴ位置要求は、ＯＡＭシステムから生じ、且つ、ＵＥ、または、ＲＡＮで終了する。 
【００１８】
図２に示されるように、システム構築の観点から、ＭＤＴ特徴と位置特徴は、インターフェース２３０により通信する。一新規実施形態によると、ＭＤＴ位置要求は、位置特徴が実行されるひとつ以上の位置オプションを含む。したがって、位置特徴は、実際の位置決め工程を実行するひとつ以上のエンティティ (たとえば、エンティティ#1とエンティティ#２）を含む。たとえば、エンティティは、ＵＥ、ＲＡＮ、Ｃ-ＰＬＡＮＥ ＬＣＳのｅＳＭＬＣ、および/または、Ｕ-ＰＬＡＮＥ ＬＣＳのＳＬＰである。図２において、ＭＤＴ位置要求は、インターフェース２３０により、ＵＥ２０４から第一エンティティ#1 ２０５に伝送され、エンティティ#1 ２０５は、順に、追加の位置関連メッセージを第二エンティティ#2 ２０６に伝送する。特定の位置決め工程を実行し、ＵＥ位置を得た後、ＵＥ位置は、インターフェース２３０により、エンティティ#1 ２０５からＵＥ２０４に送り戻される。  
【００１９】
図３は、位置オプション制御メカニズムを有するユーザー装置 ＵＥ３００を示す図である。ＵＥ３００は、位置オプションコントローラー３０１、ドライブ試験の省力化 (ＭＤＴ)コントローラー３０２、ＭＤＴログ３０３、および、ＭＤＴ測定システム３０５を含む。一具体例において、ＵＥ３００は、さらに、位置獲得システム３０４を含む。別の具体例において、位置獲得システム３０４はＵＥ３００外側に位置する。ＵＥ設定中のこの変化は、図３に示される点線を用いて説明される。位置オプションコントローラー３０１は、どのように、位置情報が獲得されるかを判断する。判断された場合、位置オプションコントローラー３０１は、位置オプション設定を位置獲得システム３０４に伝送し、位置獲得システム３０４から、位置情報を受信する。その後、位置オプションコントローラー３０１は、位置情報を、ＭＤＴ測定コントローラー３０２に伝える。ＭＤＴ測定コントローラー３０２は、命令を、ＭＤＴ測定システム３０５に伝え、ＭＤＴ測定システム３０５から、測定情報を受信する。その後、ＭＤＴ測定コントローラー３０２は、ＭＤＴ測定情報と位置情報を、ＭＤＴログ３０３に保存する。 
【００２０】
図４は、位置オプション制御メカニズムを有する基地局ｅＮＢ４００を示す図である。基地局４００は、位置オプションコントローラー４０１、ドライブ試験の省力化 (ＭＤＴ)コントローラー４０２、および、ＭＤＴログ４０３を含む。一具体例において、ｅＮＢ４００は、さらに、位置獲得システム４０４を含む。別の具体例において、位置獲得システム４０４は、ｅＮＢ４００の外側に位置する。別の具体例において、ｅＮＢ４００は、さらに、ＭＤＴ測定システム４０５を含む。さらに別の具体例において、ＭＤＴ測定システム４０５は、ｅＮＢ４００の外側に位置する。基地局設定におけるこの変化は、図４に示される点線を用いて説明される。位置オプションコントローラー４０１は、どのように、位置情報が獲得されるかを判断する。判断された場合、位置オプションコントローラー４０１は、位置オプション設定を位置獲得システム４０４に伝送し、位置獲得システム４０４から位置情報を受信する。その後、位置オプションコントローラー４０１は、位置情報をＭＤＴ測定コントローラー４０２に伝える。ＭＤＴ測定コントローラー４０２は、命令をＭＤＴ測定システム４０５に伝え、ＭＤＴ測定システム４０５から測定情報を受信する。その後、ＭＤＴ測定コントローラー４０２は、ＭＤＴ測定情報と位置情報をＭＤＴログ４０３中に保存する。
【００２１】
位置オプションコントローラー３０１と４０１は、ハードウェア、ソフトウェア、ファームウェア、または、それらの組み合わせで実行される。一具体例において、位置オプションコントローラー３０１と４０１は、ハードウェア状態マシンとして実行される。別の具体例において、位置オプションコントローラー３０１と４０１は、どのように、位置情報を獲得するかを判断するプログラミングコードを有するコンピュータ可読媒体である。 
【００２２】
位置獲得システム３０４と４０４は位置獲得システムのアレイである。一具体例において、位置獲得システムはＵＥ中に位置し、且つ、全地球的航法衛星システム (ＧＮＳＳ)である。別の具体例において、位置獲得システムは、観測到来時間差(ＯＴＤＯＡ)システムである。別の位置獲得システムは、３ＧＰＰセル、ＷｉＦｉセル、または、別の短距離セルに基づいたセル識別システム、強化型セル識別ベース位置決めシステム (たとえば、Ｅ-ＣＩＤ)、および、ＵＥセンサーベース位置決めシステム(たとえば、ＭＥＭＳ位置決め)を含む。 
【００２３】
位置決めの標準化フレームワークを再利用することにより、以下のシステムが位置獲得システムとしても見なされる: ａ）３ＧＰＰにより標準化され、ｅＳＭＬＣサーバにより制御される制御プレーン位置サブシステム (Ｃ-ＰＬＡＮＥ ＬＣＳ)、ｂ)ＯＭＡ(部分的に、３ＧＰＰ)により標準化され、ＳＬＰサーバにより制御されるユーザープレーン位置サブシステム (Ｕ-ＰＬＡＮＥ ＬＣＳ) aka ＳＵＰＬ。位置クライアントは、このようなシステムを用いて、ＵＥ位置を求め、ｅＳＭＬＣ、または、ＳＬＰは、適切な位置決め方法を選択し、ＵＥ位置情報を伝達することができる。注意すべきことは、Ｕ-ＰＬＡＮＥ ＬＣＳ、および、Ｃ-ＰＬＡＮＥ ＬＣＳは、支援データ、たとえば、ＵＥ-ベースのＧＮＳＳ位置決め、または、ＬＴＥ-ベースＯＴＤＯＡ位置決めだけを提供し、 且つ、Ｕ-ＰＬＡＮＥ ＬＣＳ、および、Ｃ-ＰＬＡＮＥ ＬＣＳは、交替方式で使用されると共に、ひとつの位置獲得システムが、別のサポートシステムとみなされる。  
【００２４】
図５は、移動通信ネットワークにおける複数の位置オプション受信時のＵＥ動作を示す図である。ステップ５０１において、ネットワークはＭＤＴ位置要求をＵＥに伝送する。ステップ５１１において、ＵＥは、ＭＤＴ位置オプション設定を含むＭＤＴ位置要求を受信する。ＭＤＴ位置オプション設定は、複数の位置オプションを含む。たとえば、位置オプションは、優先順序で、１）ＵＥ ＧＮＳＳ、２）ＯＴＤＯＡ、および、３）Ｃ-ＰＬＡＮＥ ＬＣＳである。ステップ５１２において、ＵＥは、第一位置オプション (たとえば、ＵＥ ＧＮＳＳ)の実現可能性をチェックする。ＵＥがＧＮＳＳをサポートする場合、ステップ５１６において、ＵＥは、位置捕捉が、チェックが成功したＵＥ ＧＮＳＳに従って制御されるか判断する。ステップ５１７において、ＭＤＴ測定、報告、および、ロギングを含む受信されたＭＤＴ設定に従って、ＭＤＴ特徴が開始される。一方、ＵＥがＧＮＳＳをサポートしない場合、ステップ５１３において、ＵＥは、第二位置オプション (たとえば、ＯＴＤＯＡ)の実現可能性をチェックする。チェックが成功の場合、ＵＥは、ステップ５１６と５１７に進む。チェックが失敗の場合、ＵＥは、次の位置オプションの実現可能性をチェックする。ステップ５１４において、ＵＥは、最後の位置オプション (たとえば、Ｃ-ＰＬＡＮＥ ＬＣＳ)の実現可能性を確認する。チェックが成功の場合、ＵＥはステップ５１６と５１７に進む。チェックが失敗の場合、ステップ５１５で、ＵＥは、任意で、ネットワークに、サポートされる、または、類似する位置オプションがないことを示す。あるいは、ＵＥは、ベストエフォート位置情報収集を運用する。ステップ５２１において、ネットワークは、ＭＤＴ位置要求の失敗を示す応答を受信する。 
【００２５】
図６は、移動通信ネットワークにおける複数の位置オプション受信時、ＭＤＴ進行中のＵＥ動作を示す図である。ステップ６０１において、ネットワークは、ＭＤＴ位置要求をＵＥに伝送する。ステップ６１１において、ＵＥは、ＭＤＴ位置オプション設定を含むＭＤＴ位置要求を受信する。ＭＤＴ位置オプション設定は、複数の位置オプションを含む。たとえば、位置オプションは、優先順序で、１）ＵＥ ＧＮＳＳ、２）ＯＴＤＯＡ、および、３）Ｃ-ＰＬＡＮＥ ＬＣＳである。ステップ６１２において、ＵＥは、第一位置オプション (たとえば、ＵＥ ＧＮＳＳ)の実現可能性をチェックし、ＧＮＳＳがサポートできるか判断する。よって、ＭＤＴは、位置決めのＧＮＳＳ位置オプションを用いて開始される。一定時間後、ステップ６１３において、ＧＮＳＳは、位置情報の伝送を停止する。たとえば、ＧＮＳＳ範囲外なので、その後、ＵＥは、ＧＮＳＳが、もうサポートされないと判断する。ステップ６１４において、ＵＥは、第二位置オプション (たとえば、ＯＴＤＯＡ)の実現可能性をチェックする。チェックが成功の場合、ＵＥは、ステップ６１７に進む。ＭＤＴ特徴は、チェックが成功し、且つ、要求された位置オプションにしたがって制御される位置に基づいて継続され、たとえば、ＵＥは、ＯＴＤＯＡ測定を開始する。一方、チェックが失敗の場合、ＵＥは、次の位置オプションのチェックに進み、残りのオプションに対しても同じである。サポートされる位置オプションがない場合、ＵＥは、ステップ６１６に進む。ＵＥは、ＭＤＴ特定設定を終了する、または、ベストエフォート位置情報収集を運用する。
【００２６】
図７は、移動通信ネットワークにおける位置オプションを評価する時のＵＥ動作を示す図である。ステップ７０１において、ネットワークは、ＭＤＴ位置要求をＵＥに伝送する。ステップ７１１において、ＵＥは、ＭＤＴ位置オプション設定を含むＭＤＴ位置要求を受信する。ＭＤＴ位置オプション設定は、一つの位置オプション (たとえば、Ｃ-ＰＬＡＮＥ ＬＣＳ)を含む。ステップ７１２において、ＵＥは、Ｃ-ＰＬＡＮＥ ＬＣＳ位置オプションに関するＵＥの機能をチェックする。ＵＥがＣ-ＰＬＡＮＥ ＬＣＳをサポートする場合、ＵＥは、ステップ７１３に進み、ネットワークＬＣＳの機能をチェックする。たとえば、Ｃ-ＰＬＡＮＥ ＬＣＳは、ＵＥとネットワーク、たとえば、ＬＰＰ (ＬＴＥ位置決めプロトコル)によるｅＳＭＬＣを有するＬＴＥ間のシグナリング相互作用に関与するので、ＵＥは、どの程度、ネットワークがＬＣＳをサポートする、および、どの程度、ＵＥの機能とネットワークの機能が適合するかをチェックする。ネットワークとＵＥ両方が、Ｃ-ＰＬＡＮＥ ＬＣＳをサポートする場合、ステップ７１５において、位置決めは、このオプションにしたがって制御される。移動起源位置要求 (ＭＯ-ＬＲ)が、ＵＥからネットワークに初期化される。ＭＯ-ＬＲのパラメータがハードコートされる、または、ＭＤＴ位置要求に提供され、たとえば、周期的位置において、周期性は、通常、ＭＤＴ位置要求中のパラメータから与えられる、または、推定される。ステップ７１６において、ＭＤＴ特徴は、ＭＤＴ測定、報告、および、ロギングの受信された設定に従って開始される。一方、ステップ７１２か７１３のひとつが成功しない場合、ＵＥは、ステップ７１４に進む。ＵＥは、任意で、ネットワークに、Ｃ-ＰＬＡＮＥ ＬＣＳ位置オプションがサポートされないことを示す。ステップ７２１において、ネットワークは、ＭＤＴ位置要求の失敗を示す応答を受信する。この具体例に基づいて、ＵＥの機能、ネットワークの機能、および、位置オプションの作動に必要なその他の状況 (たとえば、ＬＴＥ-ベースのＯＴＤＯＡの無線サービス領域)を考慮することにより、ある位置オプションを用いる実現可能性が評価されると結論付ける。
【００２７】
図８は、一新規実施形態によるＵＥ-中心のＭＤＴロギングによるＣ-ＰＬＡＮＥ位置サブシステムの工程を示す図である。モバイルネットワーク８００は、ＵＥ８０１、基地局 (ｅＮＢ、または、無線ネットワークコントローラー)８０２、モビリティ管理エンティティ (ＭＭＥ)８０３、強化型サービングモバイル位置情報センター(Enhanced Serving Mobile Location Center、ＥＳＭＬＣ)８０４、トレース収集エンティティ(Trace collection entity、ＴＣＥ)８０５、および、エレメントマネージャー (ＥＭ)８０６を含む。ＵＥ８０１は、直接、ｅＮＢ８０２と通信し、ｅＮＢ８０２は、ＭＭＥ８０３により、ＥＳＭＬＣ８０４、ＴＣＥ８０５、および、ＥＭ８０６と通信する。ステップ８１１において、ＥＭ８０６は、ＭＤＴ設定情報とＭＤＴ位置要求を含むトレースセッション活性化(trace session activation)をｅＮＢ８０２に伝える。それに応じて、ｅＮＢ８０２は、セルトラフィックトレースをＭＭＥ８０３に伝える(ステップ８１２)。ステップ８１３において、ｅＮＢ８０２は、ＭＤＴの無線リソース制御 (ＲＲＣ)設定情報をＵＥ８０１に伝える。ＲＲＣ設定情報はＭＤＴ位置要求を含み、ＭＤＴ位置要求はひとつ以上の位置オプションを含む。ステップ８１４において、ＵＥ８０１は、提供される位置オプション間で選択する。たとえば、ＵＥ８０１は、位置情報にＣ-ＰＬＡＮＥ ＬＣＳを用いることを選択する。ステップ８１５において、ＵＥ８０１は、モバイル発信位置要求 (ＭＯ-ＬＲ)をｅＳＭＬＣ８０４に伝送する。その後、ｅ-ＳＭＬＣ８０４は、保存されたＵＥ位置情報を用いて、または、ステップ８１６において、ひとつ以上のＬＰＰa 位置決め工程を実行することにより、または、ステップ８１７で、ＬＰＰ位置決め工程を実行することにより、あるいは、それらの組み合わせにより、ＵＥ位置を決定する。位置要求に応答して、ステップ８１８において、ｅＳＭＬＣ８０４は、位置応答をＵＥ８０１に送り戻す。その後、ＵＥ８０１は、位置情報を含むＭＤＴ報告を保存する。ＭＤＴ報告のログ生成後、ステップ８１９において、ＵＥ８０１は、複数のＭＤＴ報告を含むＭＤＴログをｅＮＢ８０２に伝える。ステップ８２０において、トレース記録 (無線と位置情報を含む)が、ｅＮＢ８０２からＴＣＥ ８０５に伝送する。
【００２８】
図９は、移動通信ネットワークにおける即時ＭＤＴの複数の位置オプションを受信するときのＲＡＮ動作を示す図である。ステップ９１１において、ＲＡＮ９０２は、コア、または、ＯＡＭネットワーク９０３から、ＭＤＴ位置要求を受信する。ＭＤＴ位置要求は、複数の位置オプションを含む。たとえば、位置オプションは、１）Ｃ-ＰＬＡＮＥ ＬＣＳ、２）ＵＴＤＯＡ、および、３）Ｅ-ＣＩＤである。ステップ９１２において、ＲＡＮ９０２は、優先順序で、位置オプションの実現可能性チェックを実行する。さらに特に、ＲＡＮ９０２は、ＲＡＮ９０２が働き出して、位置決め工程を初期化するかチェックする。答えがはいの場合、ＲＡＮ９０２はステップ９１４に進む。位置は、チェックが成功したオプションにしたがって制御される。そうでなければ、ＲＡＮ９０２が、どの位置決め工程も初期化できない場合、その後、ステップ９１３において、ＲＡＮ９０２は、任意で、ネットワーク９０３に、要求される位置オプションがサポートされない、または、ベストエフォート位置を推定することを示す。一方、要求された位置オプションがＵＥ９０１ (たとえば、ＵＥ ＧＮＳＳ)によりサポートできる場合、ステップ９１５において、ＲＡＮ９０２は、要求をＵＥ９０１に伝送する。要求受信時、ステップ９２１において、ＵＥ９０１は、要求されたオプションに、実現可能性チェックを実行する。成功する場合、チェックが成功したオプションに従って、位置が制御される(ステップ９２３)。ステップ９３１において、ＭＤＴ特徴は、ＭＤＴ測定、報告、および、ロギングの受信された設定に従って開始される。失敗の場合、ステップ９２２において、ＵＥ９０１は、サポートされるオプションがないことを示す。あるいは、ＵＥ９０１は、ベストエフォート位置情報収集を運用する。ステップ９１６において、失敗がある場合、ＲＡＮ９０２は、任意で、ＭＤＴ位置要求の失敗応答をネットワーク９０３に伝送する。 
【００２９】
図１０は、移動通信ネットワークにおける即時ＭＤＴの複数の位置オプションを受信時のＭＤＴ進行中のＲＡＮ動作を示す図である。ステップ１０１１において、ＲＡＮ１００２は、コア、または、ＯＡＭネットワーク１００３から、ＭＤＴ位置要求を受信する。ＭＤＴ位置要求は、高優先度のＵＥ位置オプション(たとえば、ＵＥ ＧＮＳＳ)、および、ＲＡＮが処理できる一オプション (たとえば、オプションＣ-ＰＬＡＮＥ ＬＣＳ選択位置、ＵＴＤＯＡ、および、Ｅ-ＣＩＤのひとつ)を含む。ステップ１０１２において、ＲＡＮ１００２は、第一オプション(ＵＥ ＧＮＳＳ)を有するＭＤＴ位置要求をＵＥ１００１に伝送する。ステップ１０１３において、ＭＤＴは、ＵＥ ＧＮＳＳ位置を用いて開始される。ステップ１０１４において、ＵＥ１００１は、位置情報を有するＭＤＴの測定報告を伝送する。その後、ステップ１０１５において、ＧＮＳＳは位置情報の伝送を停止し、たとえば、ＧＮＳＳの範囲外のため、ステップ１０１６において、ＵＥ１００１は、位置情報を有さないＭＤＴの測定報告を伝送する。ステップ１０１７において、ＲＡＮ１００２は、ＵＥ ＧＮＳＳが、もう機能しないと判断する。ステップ１０１８において、ＲＡＮ１００２は、別の位置オプションの優先順序で、実現可能性チェックを実行する。サポートされるオプションがない場合、ＲＡＮ１００２は、ＭＤＴを終了する、または、ベストエフォート位置を用いる(ステップ１０１９)。位置オプション (たとえば、Ｅ-ＣＩＤ)のひとつがサポートできる場合、ステップ１０２０において、ネットワーク測定の収集とタイミングアドバンス(timing advance)は、ＲＡＮ１００２により初期化されて、Ｅ-ＣＩＤ位置推定に用いられる。
【００３０】
図１１は、一新規実施形態によるｅＮＢ-中心のＭＤＴロギングによるＣ-ＰＬＡＮＥ位置サブシステムの位置決め工程を示す図である。モバイルネットワーク１１００は、ＵＥ１１０１、基地局 (ｅＮＢ、または、無線ネットワークコントローラー)１１０２、モビリティ管理エンティティ (ＭＭＥ)１１０３、強化型サービングモバイル位置情報センター (ＥＳＭＬＣ)１１０４、トレース収集エンティティ(ＴＣＥ)１１０５、および、エレメントマネージャー (ＥＭ)１１０６を含む。ＵＥ１１０１は、直接、ｅＮＢ１１０２と通信し、ｅＮＢ１１０２は、ＭＭＥ１１０３により、ＥＳＭＬＣ１１０４、ＴＣＥ１１０５、および、ＥＭ１１０６と通信する。ステップ１１１１において、ＥＭ１１０６は、複数の位置オプションを有するＭＤＴ設定情報とＭＤＴ位置要求を含むトレースセッション活性化を、ｅＮＢ１１０２に伝える。ステップ１１１２において、ｅＮＢ１１０２は、提供される複数のオプション間で選択される。たとえば、ｅＮＢ１１０２は、ＲＡＮ-初期化Ｃ-ＰＬＡＮＥ ＬＣＳ選択位置を選択する。ステップ１１１３において、ｅＮＢ１１０２は、ＭＤＴの無線リソース制御 (ＲＲＣ)設定情報を、ＵＥ１１０１に伝える。ステップ１１１４において、ｅＮＢ１１０２は位置要求をＭＭＥ１１０３に伝送し、ステップ１１１５において、ＭＭＥ１１０３は、位置要求をｅＳＭＬＣ１１０４に伝送する。その後、Ｅ-ＳＭＬＣ１１０４は、保存されたＵＥ位置情報を用いて、または、ステップ１１１６において、ひとつ以上のＬＰＰａ位置決め工程を実行する、または、ステップ１１１７において、ＬＰＰ位置決め工程を実行する、または、あるいは、それらの組み合わせによりＵＥ位置を決定する。位置要求に応答して、ステップ１１１８において、ｅＳＭＬＣ１１０４は位置応答をＭＭＥ１１０３に伝送し、ＭＭＥ１１０３は、ステップ１１１９において、位置応答をｅＮＢ１１０２に伝送する。ステップ１１２０において、ＵＥ１１０１は、ＲＲＣ報告により、ＭＤＴログをｅＮＢ１１０２に伝える。ステップ１１２１において、ｅＮＢ１１０２はロギングを実行し、位置情報をログに加える。最後に、ステップ１１２２において、トレース記録 (無線と位置情報を含む)が、ｅＮＢ１１０２からＴＣＥ１１０５に伝送される。
【００３１】
図１２は、一新規実施形態によるＵＥ-中心のＭＤＴロギングによるＣ-ＰＬＡＮＥ位置サブシステムの位置決め工程を示す図である。モバイルネットワーク１２００は、ＵＥ１２０１、基地局 (ｅＮＢ、または、無線ネットワークコントローラー)１２０２、モビリティ管理エンティティ (ＭＭＥ)１２０３、強化型サービングモバイル位置情報センター (ＥＳＭＬＣ)１２０４、トレース収集エンティティ(ＴＣＥ)１２０５、および、エレメントマネージャー (ＥＭ)１２０６を含む。ＵＥ１２０１は、直接、ｅＮＢ１２０２と通信し、ｅＮＢ１２０２は、ＭＭＥ１２０３により、ＥＳＭＬＣ１２０４、ＴＣＥ１２０５、および、ＥＭ１２０６と通信する。ステップ１２１１において、ＵＥ１２０１は、位置に関するＵＥの機能を、ｅＮＢ１２０２に伝送する。ステップ１２１２において、ＥＭ１２０６は、複数の位置オプションを有するＭＤＴ設定情報とＭＤＴ位置要求を含むトレースセッション活性化を、ｅＮＢ１２０２に伝送する。ステップ１２１３において、ｅＮＢ１２０２は、提供される複数のオプション間で選択する。たとえば、ｅＮＢ１１０２は最高優先度のオプションを選択し、最高優先度は、ＵＥ(および、ネットワーク)が有する(たとえば、ＵＥは、Ｃ-ＰＬＡＮＥ ＬＣＳを用いて、ＭＯ-ＬＲを実行する) 最高優先度である。ステップ１２１４において、ｅＮＢ１２０２は、ＭＤＴの無線リソース制御 (ＲＲＣ)設定情報をＵＥ１２０１に伝える。ＲＲＣ設定情報は、単一オプション (たとえば、Ｃ-ＰＬＡＮＥ ＬＣＳを用いたＭＯ-ＬＲ)を有するＭＤＴ位置要求を含む。ステップ１２１５において、ＵＥ１２０１は、モバイル発信位置要求 (ＭＯ-ＬＲ)をｅＳＭＬＣ１２０４に伝送する。Ｅ-ＳＭＬＣ１２０４は、その後、保存されたＵＥ位置情報を用いることにより、または、ステップ１２１６において、ひとつ以上のＬＰＰａ位置決め工程を実行することにより、ステップ１２１７において、ＬＰＰ位置決め工程を実行することにより、あるいは、それらの組み合わせにより、ＵＥ位置を決定する。位置要求に応答して、ステップ１２１８において、ｅＳＭＬＣ１２０４は、位置応答をＵＥ１２０１に送り戻す。その後、ＵＥ１２０１は、位置情報を有するＭＤＴ報告を保存する。ＭＤＴ報告のログを生成後、ステップ１２１９において、ＵＥ１２０１は、ＲＲＣ報告により、ＭＤＴログをｅＮＢ１２０２に伝える。ステップ１２２０において、トレース記録 (無線と位置情報を含む)が、ｅＮＢ１２０２からＴＣＥ１２０５に送られる。
【００３２】
注意すべきことは、位置オプションは、特定の位置決め方法、たとえば、ＧＮＳＳ、ＯＴＤＯＡ、Ｅ-ＣＩＤ等であることである。位置オプションは、位置決めが、特定のシステムにより制御されることも示す。たとえば、Ｃ-ＰＬＡＮＥ ＬＣＳの位置オプションは、位置決めが、ｅＳＭＬＣにより制御されることを示し、Ｕ-ＰＬＡＮＥ ＬＣＳの位置オプションは、位置決めがＳＬＰにより制御されることを示す。ｅＳＭＬＣ、または、ＳＬＰは、たとえば、ＵＥ保存される位置、または、ＬＬＰ、または、ＬＬＰａ位置決め工程により、どのようにして、正確に、位置が獲得されるかを決定する。 
【００３３】
図１３は、ＵＥ観点からのＭＤＴ位置オプション設定のフローチャートである。ステップ１３０１において、ＵＥは、基地局からＭＤＴ位置要求を受信する。ＭＤＴ位置要求は、ひとつ以上の位置オプションを有するＭＤＴ位置オプション設定を含む。ステップ１３０２において、ＵＥは、ＭＤＴ位置オプション設定、および、位置に関連するＵＥの機能に基づいて、第一位置オプションを決定する。ステップ１３０３において、ＵＥは、所定の第一位置オプションに従って、ＭＤＴの位置決めを初期化する。一具体例において、各位置オプションは優先度に関連し、第一位置オプションは、残りのＵＥサポート位置オプションより高い優先度を有する。
【００３４】
図１４は、ｅＮＢ観点からのＭＤＴ位置オプション設定のフローチャートである。ステップ１４０１において、ｅＮＢは、コアネットワーク、または、ＯＡＭシステムから、ＭＤＴ位置要求を受信する。ＭＤＴ位置要求は、優先度が高いひとつ以上の位置オプションを有するＭＤＴ位置オプション設定を含む。ステップ１４０２において、ｅＮＢは、ＭＤＴ位置オプション設定に基づいて、第一位置オプションを決定する。ステップ１４０３において、第一位置オプションが、ネットワーク-ベースの位置決めを含む場合、ｅＮＢは、第一位置オプションにしたがって、ＭＤＴセッションの位置決めを初期化する。要求された位置オプションがＵＥ (たとえば、ＵＥ ＧＮＳＳ)によりサポートできる場合、    ｅＮＢは、ＭＤＴ位置要求をＵＥに伝送する。  
【００３５】
位置情報は、ＭＤＴ測定にとって重要なだけではなく、モバイルユーザーにとっても重要な特徴である。セルラーネットワークに加え、位置情報をモバイルユーザーに伝送することができる別のネットワーク(たとえば、ＷＬＡＮ)がある。
【００３６】
図１５は、一新規実施形態によるＵＥ-決定の最適位置決め工程を含む異種ネットワーク１５００の概略を示す図である。ネットワーク１５００は、ＵＥ１５０１、無線アクセスネットワークＲＡＮ１５１０、進化したパケットコアネットワーク１５２０、および、インターネット１５３０を含む。ＲＡＮ１５１０は、複数のｅＮＢを含むセルラーＥ-ＴＲＡＮ１５１１、ＷｉＦｉ ＡＰ１５１３を含む無線ＬＡＮ ＷＬＡＮ１５１２、および、無線アクセスゲートウェイＷＡＧ１５１４を含む。進化したパケットコアネットワークは、モビリティ管理エンティティＭＭＥ１５２１、サービングゲートウェイＳ-ＧＷ１５２２、ＰＤＮゲートウェイＰＤＮ-ＧＷ１５２３、および、強化型ＰＤＮゲートウェイeＰＤＮ１５２４を含む。ＵＥ観点から、ＵＥは、セルラートランシーバとＷｉＦｉトランシーバ両方を備え、且つ、ＵＥは、セルラーアクセス(たとえば、単一ドットの点線により示されるＥ-ＵＴＲＡＮパス)、または、ＷＬＡＮアクセス(たとえば、二ドットの点線により示されるＷＬＡＮパス)により、アプリケーションネットワーク、たとえば、インターネット１５３０にアクセスすることができる。
【００３７】
ＬＣＳクライアントが、ターゲットＵＥ (ＬＣＳ クライアントも、ターゲットＵＥに存在することができる)の位置づけを要求する時、ＵＥは各種位置決め方法を用いることができる。たとえば、ＵＥは、衛星システムに基づいた独立型ＧＮＳＳ、ネットワーク支援を有するＡＧＮＳＳ、ＬＴＥセルラー無線信号に基づいたＬＴＥ ＯＴＤＯＡ、ＷＬＡＮ範囲下のＷｉＦｉ位置決め、または、ＭＥＭＳ技術を用いることができる。一新規実施形態において、ＵＥは、特定の位置決め目的に基づいて、各種位置決め方法の優先順序をつけ、その後、ネットワークが関与する前、あるＵＥ環境下で、最適な位置決め工程を決定する。 
【００３８】
図１６は、一新規実施形態によるＵＥ１６０１により、最適位置決め工程を決定する方法を示す図である。ボックス１６１０は、ＧＮＳＳ、ＡＧＮＳＳ、ＬＴＥ ＯＴＤＯＡ、ＷｉＦｉ位置決め、および、ＭＥＭＳを含む利用可能な位置決め方法のリストを示す。どの位置決め方法が最も適するかは二個の要素に基づく。第一要素は、ＵＥ環境と信号強度、および／または、品質、第二要素は位置決め目的である。ボックス１６２０は、領域、位置、および、各種信号条件を含むＵＥ環境を示す。たとえば、ＷｉＦｉ信号において、ＵＥが屋内環境にある場合、ＷｉＦｉは利用可能であり、且つ、強い;ＵＥが都市街路にある場合、ＷｉＦｉは利用可能であるが、弱い;ＵＥが外にある場合、ＷｉＦｉは利用可能ではない。一方、ＬＴＥセルラー無線信号において、ＵＥが都市街路にある場合、ＬＴＥセルは利用可能であり、且つ、強い;ＵＥが屋内環境にある場合、ＬＴＥセルは利用可能であるが弱い;ＵＥが田舎にある、または、深い屋内環境にある場合、ＬＴＥセルは利用可能ではない。ボックス１６３０は、レスポンスタイムの減少、精度の改善、おおよび、消費電力減少を含む異なる位置決め目的を示す。二要素に基づいて、その後、ＵＥ１６０１は、最も、位置決め目的を満足させることができる位置決め方法のリストから、最適な位置オプションを選択することができる。
【００３９】
図１７は、ＵＥによる各種位置決め方法の優先順序を決定する第一具体例を示す図である。図１７の例において、最速レスポンスタイムが目的である。ＵＥは、出来るだけ早く、位置情報を提供するよう試みる。位置要求の受信時、ＵＥは、まず、ＷｉＦｉ信号の信号強度、および／または、品質をチェックする。ＷｉＦｉ信号は、強い、弱い、または、利用不能に分類される。その後、ＵＥは、ＬＴＥセルラー無線信号の信号強度、および／または、品質をチェックする。ＬＴＥ信号も、強い、弱い、または、利用不能に分類される。二無線信号の決定に基づいて、ＵＥは、特定のブランチを識別して、異なる位置決め工程の優先順序をつける。特に、全部で９個のブランチがあり、各ブランチは一ＵＥ環境を示す。ブランチ１-３は屋内を示し、ブランチ４と７は都市街路を示し、ブランチ５-６は高密度の都市街路や準屋内(quasi-indoor)を示し、ブランチ８は屋外を示し、ブランチ９は、屋外や深い屋内を示す。各ブランチは、位置決め目的に基づいた位置決め工程に関連する所定の優先順序に関連し、レスポンスタイムを減少させる。
【００４０】
たとえば、ブランチ #1 は、ＷｉＦｉが強く、且つ、ＬＴＥセルが強いことを示す。位置決め目的はレスポンスタイムで、ＷｉＦｉ位置決めが最速、ＧＮＳＳは一番遅いので、異なる位置決め工程を実行する優先順序は以下のようである: ＷｉＦｉ位置決め、ＬＴＥ ＯＴＤＯＡ、ＡＧＮＳＳ、および、ＧＮＳＳ。ＷｉＦｉが最強で、ＬＴＥセルが利用可能出ない場合 (ブランチ #3により示される)、異なる位置決め工程を実行する優先順序は、ＷｉＦｉ位置決め、ＡＧＮＳＳ、および、ＧＮＳＳになる。別の例において、ブランチ #4 は、ＷｉＦｉが弱く、且つ、ＬＴＥセルが強いことを示し、異なる位置決め工程を実行する優先順序は、ＬＴＥ ＯＴＤＯＡ、ＷｉＦｉ位置決め、ＡＧＮＳＳ、および、ＧＮＳＳになる。優先順序は、ＷｉＦｉとＬＴＥセルの信号強度に基づいて定義されるので、ＵＥは、最短レスポンスタイムの位置情報を提供することができる最適な位置決め工程を使用することができる。
【００４１】
図１８は、ＵＥによる各種位置決め方法の優先順序の決定の第二具体例を示す図である。図１８の例において、高精度が目的である。ＵＥは、最も正確である位置情報を提供することを試みる。図１７と同様、 全部で９個のブランチがあり、且つ、各ブランチはＵＥ環境を示す。位置要求の受信時、ＵＥは、ＷｉＦｉとＬＴＥセルの信号強度/品質をチェックし、ＵＥが、９個のどのブランチ属するか識別する。各ブランチは、位置決め目的に基づいた位置決め工程に関連する所定の優先順序に関連し、もっとも正確なＵＥ位置情報を提供する。
【００４２】
たとえば、ブランチ #4は、ＷｉＦｉが弱く、且つ、ＬＴＥが強いことを示す。位置決め目的が精度であり、ＡＧＮＳＳ/ＧＮＳＳ位置決めが更なる正確さなので、異なる位置決め工程を実行する優先順序は以下のようである:ＡＧＮＳＳ、ＧＮＳＳ、ＬＴＥ ＯＴＤＯＡ、および、ＷｉＦｉ位置決め。注意すべきことは、異なる位置決め目的がＵＥにより追求されるので、ブランチ #4 の優先順位が図１７と図１８間で異なることである。優先順序は、ＷｉＦｉとＬＴＥセルの信号強度に基づいて定義されるので、ＵＥは、さらに正確な位置情報を提供することができる最適な位置決め工程を用いることができる。
【００４３】
図１９は、ＵＥによる各種位置決め方法の優先順序を決定する第三具体例を示す図である。図１９の例において、低消費電力が目的である。ＵＥは、最小消費電力で、位置情報を提供することを試みる。図１７と同様に、全部で９個のブランチがあり、各ブランチはＵＥ環境を示す。位置要求受信時、ＵＥは、ＷｉＦｉとＬＴＥセルの信号強度/品質をチェックし、ＵＥが、９個のブランチのどれに属するかを識別する。各ブランチは、位置決め目的に基づいた位置決め工程に関する所定の優先順序に関連して、最小の消費電力で、ＵＥ位置情報を提供する。
【００４４】
たとえば、ブランチ #1 は、ＷｉＦｉが強く、且つ、ＬＴＥが強いことを示す。位置決め目的は節電であり、且つ、ＬＴＥ ＯＴＤＯＡ位置決めは最大電量を節約し、ＧＮＳＳ/ＡＧＮＳＳは最大電力を消耗するので、異なる位置決め工程を実行する優先順序は以下のようである: ＬＴＥ ＯＴＤＯＡ、ＷｉＦｉ位置決め、ＡＧＮＳＳ、および、ＧＮＳＳ。優先順序は、ＷｉＦｉとＬＴＥセルの信号強度に基づいて定義されるので、ＵＥは、最小消費電力で、ＵＥ位置情報を提供することができる最適な位置決め工程を用いることができる。
【００４５】
図２０は、一新規実施形態によるＵＥにより最適位置決め工程を決定する方法のフローチャートである。ステップ２００１において、ＵＥは、セルラー無線アクセス技術 (たとえば、ＬＴＥセル)により提供される第一信号強度/品質を決定する。ステップ２００２において、ＵＥは、無線ＬＡＮ (たとえば、ＷｉＦｉ)により提供される第二信号強度/品質を決定する。ステップ２００１と２００２は逆になる。ステップ２００３において、ＵＥは、利用可能な位置オプションのリストから、位置決め工程を選択する。選択された位置決め工程は、第一と第二信号強度/品質決定に基づいて、プロビジョニング目的に最も適合する。一具体例において、各種位置オプションの優先順位は、信号品質決定と特定の位置決め目的に基づいて定義される。ＬＴＥ ＯＴＤＯＡ、ＷｉＦｉ位置決めとＧＮＳＳ/ＡＧＮＳＳに加え、ＭＥＭＳ位置決めは有用な位置決め方法である。たとえば、ＭＥＭＳセンサー使用可能ＧＰＳを用いた屋内位置決めソリューションは、特に、ＧＰＳ信号が、減衰、または、利用不能なとき、高度の改善された利用可能性と信頼性を有する位置情報を提供する。 
【００４６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0005855278.tif 000002
【図２】
0005855278.tif 000003
【図３】
0005855278.tif 000004
【図４】
0005855278.tif 000005
【図５】
0005855278.tif 000006
【図６】
0005855278.tif 000007
【図７】
0005855278.tif 000008
【図８】
0005855278.tif 000009
【図９】
0005855278.tif 000010
【図１０】
0005855278.tif 000011
【図１１】
0005855278.tif 000012
【図１２】
0005855278.tif 000013
【図１３】
0005855278.tif 000014
【図１４】
0005855278.tif 000015
【図１５】
0005855278.tif 000016
【図１６】
0005855278.tif 000017
【図１７】
0005855278.tif 000018
【図１８】
0005855278.tif 000019
【図１９】
0005855278.tif 000020
【図２０】
0005855278.tif 000021